(57)【要約】【課題】水圧に関係なくレバーの操作感が良好となるレバーコックを提供する。【解決手段】流入口側流路２２および吐出口側流路２３からなる流路を有する把手部２１と、把手部２１に揺動自在に設けられたレバー２８と、流入口側流路２２および吐出口側流路２３の間に位置する弁座３２と、流入口側流路２２内に位置し、弁座３２に接離し、流入口側流路２２および吐出口側流路２３との間を開閉する弁３０と、弁３０を弁座３２に押圧する付勢部材としてのスプリング３１と、弁３０の一方の面から吐出口側流路２３を伸び、一端側が把手部２１に設けられた挿通孔に液密に嵌合して大気に臨む一方の弁軸３３と、弁３０の他方の面から流入口側流路２２を伸び、一端側が、把手部２１に設けられた挿通孔に液密に嵌合して、一端が大気に臨む他方の弁軸３６とを有する。【選択図】図１
2018173096.tif 000002
【特許請求の範囲】
【請求項１】
流入口側流路および吐出口側流路からなる流路を有する把手部と、
該把手部に揺動自在に設けられたレバーと、
前記流入口側流路および前記吐出口側流路の間に位置する弁座と、
前記流入口側流路内に位置し、前記弁座に接離し、前記流入口側流路および前記吐出口側流路との間を開閉する弁と、
該弁を前記弁座に押圧する付勢部材と、
前記弁の一方の面から前記吐出口側流路を伸び、一端側が前記把手部に設けられた挿通孔に液密に嵌合して大気に臨む一方の弁軸と、
前記弁の他方の面から前記流入口側流路を伸び、一端側が、前記把手部に設けられた挿通孔に液密に嵌合して、一端が大気に臨む他方の弁軸と、を有し、
前記レバーを握って前記レバーを前記把手部に接近する方向に揺動して、該レバーにより、前記一方の弁軸を前記付勢部材の付勢力に抗して押し上げることにより、もしくは前記他方の弁軸を前記付勢部材の付勢力に抗して引き上げることにより、前記弁を前記弁座から離反することにより前記流入口側流路が前記吐出口側流路に連通することを特徴とするレバーコック。
【請求項２】
前記一方の弁軸の大気に臨む径と前記他方の弁軸の大気に臨む径が、前記弁座の流路部の開口径と同等の径であることを特徴とする請求項１記載のレバーコック。
【発明の詳細な説明】
【技術分野】
【０００１】
本発明は、散水用、薬液散布用等の用途に用いて好適なレバーコックに関する。
【背景技術】
【０００２】
散水用や薬液散布用等に用いるものとして、レバーの操作によって、弁を動かし、流路を開閉するレバーコックが知られている。
図７に示すものはレバーコックの一例で、スプリング１０によって弁座１１に押し付けられて流路１２を閉じている弁１３を、弁軸１４をレバー（図示せず）によってスプリング１０の付勢力に抗して押し上げることによって、流路１２を開く（図８）構造のものである。
【０００３】
また、図９に示すレバーコックは、レバー１５を操作することによって、弁軸１４をテコの原理によってスプリング１０の付勢力に抗して引き上げることによって弁１３を弁座１１から離反させて、流路１２を開く（図１０）構造のものである（例えば特許文献１：特開２００２−１９５４５３号公報）。
【先行技術文献】
【特許文献】
【０００４】
【特許文献１】特開２００２−１９５４５３号公報
【発明の概要】
【発明が解決しようとする課題】
【０００５】
図７に示すレバーコックは、スプリング１０の付勢力と水圧により弁１３のシール性を確保している。水圧の上昇により、弁１３の自己シール性は増加するが、シール径（弁座１１の開口径）Ｄに比例して、吐出操作時のレバーの必要押し上げ力が増加してしまう。その結果、水圧の上昇と共に、レバー操作が重くなってしまうという課題がある。
【０００６】
一方、図９に示すレバーコックは、弁軸１４の両端が大気に臨んでいる。したがって、シール径Ｄと弁軸１４の径ｄを同等（φＤ=φｄ）のものにすることによって、吐出操作時のレバー１５の必要引き上げ力は水圧に影響されず、一定の力でレバー操作が可能となる。しかしながら、水圧がスプリング１０の付勢力以上の圧力になると、吐出後、背圧によって弁１３が閉じなくなり、吐出作業を停止できなくなるという課題がある。
【課題を解決するための手段】
【０００７】
そこで、本発明は上記課題を解決すべくなされたものであり、水圧に関係なくレバーの操作感が良好となるレバーコックを提供することを目的とする。
【０００８】
上記の目的を達成するため、本発明は次の構成を備える。
すなわち、本発明に係るレバーコックは、流入口側流路および吐出口側流路からなる流路を有する把手部と、該把手部に揺動自在に設けられたレバーと、前記流入口側流路および前記吐出口側流路の間に位置する弁座と、前記流入口側流路内に位置し、前記弁座に接離し、前記流入口側流路および前記吐出口側流路との間を開閉する弁と、該弁を前記弁座に押圧する付勢部材と、前記弁の一方の面から前記吐出口側流路を伸び、一端側が前記把手部に設けられた挿通孔に液密に嵌合して大気に臨む一方の弁軸と、前記弁の他方の面から前記流入口側流路を伸び、一端側が、前記把手部に設けられた挿通孔に液密に嵌合して、一端が大気に臨む他方の弁軸と、を有し、前記レバーを握って前記レバーを前記把手部に接近する方向に揺動して、該レバーにより、前記一方の弁軸を前記付勢部材の付勢力に抗して押し上げることにより、もしくは前記他方の弁軸を前記付勢部材の付勢力に抗して引き上げることにより、前記弁を前記弁座から離反することにより前記流入口側流路が前記吐出口側流路に連通することを特徴とする。
【０００９】
前記一方の弁軸の大気に臨む径と前記他方の弁軸の大気に臨む径を、前記弁座の流路部の開口径と同等の径となるようにすると好適である。
【発明の効果】
【００１０】
本発明によれば、一方の弁軸および他方の弁軸の両弁軸の端部を大気に露出させるようにしたので、流体圧にあまり影響されずに、レバーの操作を行うことができ、レバーの操作感が良好となる。
特に、他方の弁軸の大気に臨む径を、弁座の流路部の開口径と同等となる径になるようにすれば、実質的に流体圧が弁に作用しないから、レバーを操作して弁を開く際に、流体圧に無関係にレバーの操作を行うことができ、レバーの操作感が良好となる。
また、一方の弁軸の大気に臨む径を、他方の弁軸の大気に臨む径と同等となる径になるようにすれば、流体の吐出状態から停止時の弁の戻りの際に流体圧の影響を軽減でき、流体圧が高くなっても、付勢部材の付勢力によって容易に弁を閉じることができ、従来のように弁が閉じなくなるような不具合を解消できる。
【図面の簡単な説明】
【００１１】
【図１】弁が閉じた状態におけるレバーコックの断面図である。
【図２】弁が開いた状態におけるレバーコックの断面図である。
【図３】ロックレバーのストッパ機構を示す説明図である。
【図４】ロックレバーのストッパ機構によりロックレバーを係止した状態を示す説明図である。
【図５】レバーコックの他の実施の形態を示す断面図であり、弁が閉じた状態を示す。
【図６】図５のレバーコックであって、弁が開いた状態における断面図である。
【図７】従来のレバーコックの一例を示す部分断面図である。
【図８】図７に示すレバーコックの弁が開いた状態を示す部分断面図である。
【図９】従来のレバーコックの他の一例を示す部分断面図である。
【図１０】図９に示すレバーコックの弁が開いた状態を示す部分断面図である。
【発明を実施するための形態】
【００１２】
以下本発明の実施の形態を添付図面に基づき詳細に説明する。
図１は、弁が閉じた状態におけるレバーコック２０の断面図、図２は弁が開いた状態におけるレバーコック２０の断面図である。
２１は把手部であり、流入口側流路２２および吐出口側流路２３からなる流路を有する。２４は流入口であり、適宜なホース（図示せず）が接続される。２５は吐出口であり、適宜なノズル装置（図示せず）が接続される。
【００１３】
把手部２１には、吐出口２５近傍に設けた軸２７を中心に回動自在（揺動自在）にレバー２８が取り付けられている。レバー２８はほぼ把手部２１に沿って伸び、操作者によって、把手部２１と共に、手で握ることができる程度の大きさとされている。
３０は弁であり、流入口側流路２２内に位置し、弁座３２に接離することで流入口側流路２２および吐出口側流路２３との間を開閉する。弁３０は付勢部材であるスプリング３１によって付勢されて弁座３２に押圧され、流路を閉じている。弁座３２は、流入口側流路２２と吐出口側流路２３との間に位置している。なお、付勢部材としては、スプリングの他に、ゴム等の弾性材であってもよい。
【００１４】
弁３０の一方の面から一方の弁軸３３が伸びている。一方の弁軸３３は、吐出口側流路２３内を伸び、一端側が把手部２１に設けた挿通孔を液密に嵌合、貫通して、一端（先端）が大気に臨んでいると共に、レバー２８の対向面に摺動可能に当接している。３４は一方の弁軸３３を把手部２１に対して液密にシールするシールリングである。
一方の弁軸３３の一端は半球状、もしくは半円柱状に形成されて、レバー２８の対向面に点接触、もしくは線接触状に当接する。また、一方の弁軸３３の一端が当接するレバー２８の対向面は、凹面に形成されている。
【００１５】
一方の弁軸３３の一端がレバー２８の対向面の凹面に点接触、もしくは線接触することによって、レバー２８を握ってレバー２８を、スプリング３１の付勢力に抗して把手部２１に接近する方向に揺動すると、一方の弁軸３３の一端がレバー２８の凹面上を摺動し、一方の弁軸３３が把手部２１に対して常時ほぼ垂直方向に押し上げられるようになっている。
一方の弁軸３３が把手部（流路）２１に対して垂直方向に移動することによって、弁３０が弁座３２から離れ、流入口側流路２２が吐出口側流路２３に連通し、吐出口２５のノズル装置から流体を噴出可能となる。
【００１６】
なお、レバー２８は、スプリング３１によって付勢されて、弁３０が弁座３２に当接し、かつ一方の弁軸３３の一端側が把手部２１から所要長さ突出した位置で一方の弁軸３３の一端がレバー２８に当接するように、ストッパー（図示せず）によって把手部２１に対する開き角が規制されている。
【００１７】
弁３０の他方の面から、他方の弁軸３６が伸びている。
他方の弁軸３６は、一端側が、把手部２１に設けられた挿通孔に液密に嵌合して、一端が大気に臨んでいる。
具体的には、本実施の形態では、他方の弁軸３６の一端側が、把手部２１の本体に螺着されて流路を閉塞するキャップ３８に設けられた挿通孔３９に一端側から液密に嵌合している。そして、キャップ３８に通気孔４０が設けられていることによって挿通孔３９の他端側が大気に開放されている。これにより他方の弁軸３６の一端が大気に臨んでいる。本実施の形態では把手部本体およびキャップ３８で把手部２１を構成している。キャップ３８は端部が閉塞された二重筒状に形成され、内筒内が挿通孔３９とされ、内筒と外筒の間に把手部本体の雄ネジ部が進入し、該雄ネジ部にキャップ３８が螺着されている。
【００１８】
なお、４１、４２はシールリングである。
また、４９はシールリング脱落防止用の座金である。
スプリング３１は座金４９を介してキャップ３８と弁３０との間に介装されている。
他方の弁軸３６は、その径が、弁座３２の流路部の開口径と同一かもしくは弁座３２の流路部の開口径よりも若干小径に設定するとよい。
【００１９】
次に、４４はロックレバーであり、レバー２８に回動軸４３を中心に回動自在に設けられ、一端側がロック爪４５に形成され、他端側がレバー部４６に形成されて、バネ体（つる巻きバネ）４７により図１上Ｘ方向に付勢されている。
４８はフック部であり、把手部２１の、ロックレバー４４のロック爪４５に対向する位置に設けられている。
ロックレバー４４、バネ体４７、フック部４８によってレバー２８のストッパ機構を構成している。
【００２０】
本実施の形態に係るレバーコック２０は上記のように構成されている。
使用時には、レバー２８を握って、レバー２８を把手部２１に接近させる方向に揺動（回動）させ、レバー２８によって一方の弁軸３３を押圧して弁３０を押し上げる。これにより、流入口側流路２２と吐出口側流路２３とが連通され、流体が吐出口２５に装着したノズル装置（図示せず）から吐出される。
【００２１】
レバー２８を把手部２１に接近させると、ロックレバー４４のロック爪４５がフック部４８に係止する。これにより、レバー２８から手を離しても、流体の吐出状態を維持でき、連続吐出が可能となる。
なお、レバー２８と共に、ロックレバー４４のレバー部４６を握ることによって、ロックレバー４４をロック爪４５がフック部４８から離れる方向に回動すれば、レバー２８を把手部２１に接近する方向に回動しても、ロック爪４５がフック部４８に係止しない状態とすることができる。これにより、レバー２８を操作して流体を間欠的に吐出させる断続吐出が可能となる。
【００２２】
本実施の形態では、一方の弁軸３３および他方の弁軸３６の両弁軸の端部を大気に露出させるようにした。これにより、流体圧にあまり影響されずに、レバー２８の操作を行うことができ、レバー２８の操作感が良好となる。
特に、他方の弁軸３６の大気に臨む径を、弁座３２の流路部の開口径と同等となる径になるようにすれば、実質的に流体圧が弁に作用しないから、レバー２８を操作して弁を開く際に、流体圧に無関係にレバー２８の操作を行うことができ、一層レバー２８の操作感が良好となる。なお、径が同等とは、両者の径が同一か、もしくは一方の径が他方の径よりも若干大径か若干小径の場合をいう。
【００２３】
なお、他方の弁軸３６の径を、弁座３２の流路部の開口径よりも若干小径にすることによって、弁３０に若干の流体圧を作用させることができ、レバー２８の操作感をそれ程損なうことなく、弁３０によるシール性を向上させるようにすることもできる。
また、一方の弁軸３３の大気に臨む径を、他方の弁軸３６の大気に臨む径と同等となる径になるようにすれば、流体の吐出状態から停止時の弁３０の戻りの際に流体圧の影響を軽減でき、流体圧が高くなっても、スプリング３１の付勢力によって容易に弁３０を閉じることができ、従来のように弁が閉じなくなるような不具合を解消できる。
【００２４】
図３、図４に、レバーコック２０の他の実施の形態を示す。
本実施の形態では、ロックレバー４４のストッパ機構を設けている。
本実施の形態におけるロックレバー４４のストッパ機構は、ロック爪４５に、その爪部とは反対側に設けられた凸部５０と、レバー２８側に設けられ、ロックレバー４４の凸部５０を係脱自在に係止するバネ部材５２とからなる。
【００２５】
バネ部材５２は、本実施の形態では、Ｕ字形状に設けられ、そのＵ字形状の一部をなすバネ片５３に、凸部５０を係止可能な突起５４が設けられている。
図４に示すように、レバー部４６を深く押し込むことにより、ロックレバー４４を、バネ体４７の付勢力に抗して、ロック爪４５のフック部４８への係止方向とは逆方向に回動した位置で、凸部５０が突起５４に係止可能となっている。
【００２６】
本実施の形態では、図２に示す通常の使用位置においては、レバー２８を把手部２１に接近する方向に揺動すると、ロックレバー４４のロック爪４５が把手部２１側のフック部４８に係止し、レバー２８から手を離しても、レバー２８のロックが維持され、前記と同様に連続吐出が可能となる。レバー２８の把手部２１に接近する方向への揺動（回動）操作の際に、凸部５０が突起５４に係止することはない。
【００２７】
流体の断続吐出として使用する際には、図４に示すように、ロックレバー４４をバネ体４７の付勢力に抗して、レバー部４６側をレバー２８に対して深く押し込む。これにより、ロック爪４５がバネ部材５２側に回動し、凸部５０が突起５４に係止する。この状態でレバー２８を把手部２１に接近する方向に揺動しても、ロック爪４５がフック部４８に係止することはない。したがって、操作者は、レバー２８を握ったり、離したりすることによって、弁３０の開閉を自在に行うことができ、間欠吐出（断続吐出）を行うことができる。
【００２８】
図１および図２に示すレバーコック２０の場合、断続吐出を行うには、レバー２８と共にロックレバー４４を握る操作が必要であったが、本実施の形態では、上記のようにして、一旦、ロックレバー４４を突起５４に係止するだけでよく、レバー２８の操作のみで、断続吐出が可能となり、使い勝手がよくなる。
連続吐出に切り替えるには、バネ片５３を操作して、凸部５０と突起５４との係止を解除すればよい。
【００２９】
図５、図６は、レバー２８により、他方の弁軸３６を引き上げることによって、弁３０を開ける構造としたレバーコック２０の実施の形態を示す。
図１、図２のものと同一の部材は同一の符号を付し、詳細な説明を省略する。またレバー２８による他方の弁軸３６の引き上げ構造も従来構造を採用しているので、その説明を省略する。
【００３０】
本実施の形態でも、一方の弁軸３３が、吐出口側流路２３内を伸びると共に、一端側が把手部２１に設けた挿通孔５５を液密に嵌合し、一端が大気に臨んでいる。
また、他方の弁軸３６が、流入口側流路２２内を伸びると共に、一端側がキャップ３８側の挿通孔３９を液密に貫通して外部に突出し、この突出端にレバー２８が係合していて、レバー８により、他方の弁軸３６を引き上げる構造となっている。
【００３１】
本実施の形態でも、一方の弁軸３３および他方の弁軸３６の両弁軸の端部を大気に露出させるようにした。これにより、流体圧にあまり影響されずに、レバー２８の操作を行うことができ、レバー２８の操作感が良好となるなど、図１、図２に示すレバーコック２０と同一の作用効果を奏する。
【付記１】
【００３２】
一端側がロック爪に形成され、他端側がレバー部に形成され、前記レバーに回動軸を中心に回動自在に設けられたロックレバーと、前記把手部に設けられ、前記ロックレバーの前記ロック爪が係止可能なフック部と、前記ロックレバーを前記ロック爪が前記フック部に係止する方向に付勢するバネ体と、を有する前記レバーのストッパ機構を設け、
前記レバーが前記把手部に接近する方向に揺動し、前記弁が前記弁座から離反して前記流路が開く際、前記ロックレバーの前記ロック爪が前記バネ体に付勢されて前記把手部の前記フック部に係止して、前記流路を常時開状態とし、前記レバー部を操作して、前記バネ体の付勢力に抗して前記ロックレバーを回動することにより、前記ロック爪の前記フック部への係止を解除可能とすることができる。
【付記２】
【００３３】
前記レバーと前記ロックレバーとの間に、前記ロックレバーを前記バネ体の付勢力に抗して、前記ロック爪の前記フック部への係止方向とは逆方向に回動した位置で、前記ロックレバーを前記レバーに係脱自在に係止する、前記ロックレバーのストッパ機構を設け、前記ロックレバーが前記レバーに係止された際、前記レバーを前記把手部に接近する方向に回動して前記流路を開いた際にも、前記ロックレバーのロック爪が前記フック部に係止不能にするようにすることができる。
【付記３】
【００３４】
前記ロックレバーのストッパ機構を、前記ロックレバーに設けられた凸部と、前記レバーに設けられ、前記ロックレバーの前記凸部を係止するバネ部材とから構成することができる。
【付記４】
【００３５】
また、前記バネ部材を、Ｕ字形状をなすバネ部材であって、Ｕ字形状の一部をなすバネ片に、前記ロックレバーの前記凸部を係止可能な突起を有するバネ部材とすることができる。
【符号の説明】
【００３６】
２０  レバーコック、２１  把手部、２２  流入口側流路、２３  吐出口側流路、２４  流入口、２５  吐出口、２７  軸、２８  レバー、３０  弁、３１  スプリング、３２  弁座、３３  一方の弁軸、３４  シールリング、３６  他方の弁軸、３８  キャップ、３９  挿通孔、４０  通気孔、４１  シールリング、４２  シールリング、４３  回動軸、４４  ロックレバー、４５  ロック爪、４６  レバー部、４７  バネ体、４８  フック部、４９  座金、５０  凸部、５２  バネ部材、５３  バネ片、５４  突起、５５  挿通孔
【図１】
2018173096.tif 000003
【図２】
2018173096.tif 000004
【図３】
2018173096.tif 000005
【図４】
2018173096.tif 000006
【図５】
2018173096.tif 000007
【図６】
2018173096.tif 000008
【図７】
2018173096.tif 000009
【図８】
2018173096.tif 000010
【図９】
2018173096.tif 000011
【図１０】
2018173096.tif 000012